(57)【要約】【課題】マッサージ機能とエアゾールによる内容物噴射機能を有し、前記マッサージ機能と前記エアゾールによる内容物噴射機能の使用の有無を容易に選択しうるエアゾール器用のマッサージ装置を提供する。【解決手段】マッサージ具１が、ロック部材４との結合側に制御部材１２を有し、ロック部材４が、係止突起部４１と、溝部４３と、係止突起部４１と溝部４３とを制御部材１２が移動できるように傾斜部分を有する傾斜移動部４２と、を有し、マッサージ具１を左右に回転させることで、制御部材１２が、ロック部材４上を移動し、制御部材１２が、ロック部材４の傾斜移動部４２にあるときは、ステム９２が押し込まれず、制御部材１２が、ロック部材４の溝部４３にあるときは、ステム９２が押し込まれて、内容物を噴出するエアゾール器用のマッサージ装置５である。【選択図】図１
2017023365.tif 000002
【特許請求の範囲】
【請求項１】
エアゾール器のバルブに取り付けるマッサージ具を患部に押し付けて、前記エアゾール器のステムを押し込むことで内容物を噴出して患部に吹き付けるエアゾール器用のマッサージ装置において、
突出体を表面に有するマッサージ具と、
前記マッサージ具に取り付けられ、前記ステムの押込みを制御するロック部材と、を有し、
前記マッサージ具が、前記表面の反対側で前記ロック部材との結合側に制御部材を有し、
前記ロック部材が、係止突起部と、溝部と、前記係止突起部と前記溝部とを前記制御部材が移動できるように傾斜部分を有する傾斜移動部と、を有し、
前記マッサージ具を左右に回転させることで、前記制御部材が、前記ロック部材上を移動し、
前記制御部材が、前記ロック部材の前記傾斜移動部にあるときは、前記ステムが押し込まれず、
前記制御部材が、前記ロック部材の前記溝部にあるときは、前記ステムが押し込まれて、内容物を噴出することを特徴とするエアゾール器用のマッサージ装置。
【請求項２】
前記係止突起部が、前記マッサージ具の左右への回転の幅を制御する請求項１記載のエアゾール器用のマッサージ装置。
【請求項３】
前記マッサージ具が、前記制御部材を複数個有し、
前記ロック部材が複数個である請求項１または２記載のエアゾール器用のマッサージ装置。
【請求項４】
前記マッサージ具が、表面に突出体を有する中心部材と、外周部材を有し、前記中心部材と前記外周部材を結合する結合部材を有し、
前記中心部材を押し込むことで前記ステムが押し込まれて、内容物を噴出する請求項１〜３のうちいずれか一項記載のエアゾール器用のマッサージ装置。
【請求項５】
前記外周部材が、表面に突出体を有する請求項４記載のエアゾール器用のマッサージ装置。
【請求項６】
前記中心部材が、円形である請求項４または５記載のエアゾール器用のマッサージ装置。
【請求項７】
前記マッサージ具が、前記結合部材を複数個有する請求項４〜６のうちいずれか一項記載のエアゾール器用のマッサージ装置。
【発明の詳細な説明】
【技術分野】
【０００１】
本発明は、エアゾール器用のマッサージ装置に関し、特に、マッサージ機能とエアゾールによる内容物噴射機能を有し、前記マッサージ機能と前記エアゾールによる内容物噴射機能の使用の有無を容易に選択しうるエアゾール器用のマッサージ装置に関する。
【背景技術】
【０００２】
従来から、エアゾール製品は、育毛剤、ボディ用化粧料など様々な製品が発売されている。一方、マッサージ機能を有する機器は頭皮や肌を柔らかくするため、薬剤等の内容物の浸透を助け、内容物の効能をより顕著にする効果があった。そのため、内容物の投与とマッサージを同時に与えることが求められ、様々な機器の開発が行われている。
【０００３】
しかしながら、体調やマッサージ効果のみを求める場合などには、内容物の噴射を抑えてマッサージ機能のみが得られ、マッサージに加えて、薬剤の効果を求める場合には、マッサージとエアゾールの内容物の噴射する機能が求められていた。
【０００４】
そこで、エアゾールの噴射をロックできる機構が提案され、例えば、特許文献１には、ステムに嵌合され押圧することで内容物を噴射するアクチュエータを備えたエアゾール容器の噴射装置であって、前記アクチュエータの噴射ノズル部以外の外側を囲んで当該アクチュエータの上面より高い略筒状のワンタッチキャップをエアゾール容器に取り付け、前記アクチュエータの側方に突出させて当該アクチュエータを、前記ステムを中心として回動させる操作部を形成する一方、前記ワンタッチキャップに前記操作部の回動をガイドするガイド溝を形成し、このガイド溝にアクチュエータを押圧して噴射可能とする噴射位置と、アクチュエータの押圧操作を規制するロック位置と、アクチュエータの押圧状態を保持してガス抜きを行うガス抜き位置とを連通して形成したエアゾール容器の噴射装置が開示され、特許文献２には、容器体頂板に貫通されかつ上方付勢されて起立するステムの上部へ、ノズル付き押下げヘッドから垂下するノズル連通筒を嵌合させ、又容器体上部外面へ下方筒部を嵌合させて起立する囲成筒の上部内面へ、上記押下げヘッドから垂下する外周壁を嵌合させ、容器体に対する押下げにより押下げヘッドと共にステムが押下げられて、容器体内液体がステムを介してノズルから噴出可能としたエアゾール式液体噴出容器において、上記押下げヘッド外周壁の外面一部に大きく設けた第１凹部を、該第１凹部の下部側方に連続させて第２凹部を、第１凹部の上部側方に独立の第３凹部を、それぞれ穿設し、又囲成筒の一部を、該一部の左右側部の上面から割溝を縦設することで弾性係合板に形成すると共に、該係合板上端部を内方へ屈折させてその内端部で形成した嵌合突部を上記第１凹部下部内へ位置させて該位置では、押下げヘッドを下限まで押下げ可能とすると共に、該位置から押下げヘッドないし囲成筒を回動させることで嵌合突部が第２凹部上端部内へ移動して第２凹部上面と嵌合突部とで係合して押下げヘッドの下降を不能となし、又嵌合突部が第１凹部内にある状態からほぼ下限まで押下げヘッドを下降させた位置からの押下げヘッドないし囲成筒の回動で嵌合突部は第３凹部内へ嵌合して、押下げヘッドを下限位置に停止可能に形成したエアゾール式液体噴出容器が、開示されている。
【０００５】
また、特許文献３には、ポンプ式容器やエアゾール式容器などの容器本体の内容物に対する操作部が作動モードに移行しないようにするための操作阻止用部材を備えた操作部ロック機構において、前記操作阻止用部材は、前記操作部と螺子結合する螺子部分および容器本体側の表面部分と当接可能なストッパ部分を有し、螺子結合した状態での前記操作部および前記操作阻止用部材の相対的な回動に基づき、当該操作阻止用部材はその前記ストッパ部分が前記表面部分に当接するまで移動して、当該操作部と当該操作阻止用部材とが当該表面部分に受け止められた状態に設定できる内容物収納容器の操作部ロック機構が、開示され、特許文献４には、前面部に噴射口を備えエアゾール容器のステムに装着される円筒状の噴射ボタンと、該噴射ボタンを上下動自在に露出させる第１中央孔部と、前記噴射口が臨むように前方に向けて開口した噴射窓と、該噴射窓と相対する後方凹部を備えたキャップと、前記噴射ボタンを上下動自在に挿通する第２中央孔部を備えてエアゾール容器の上部に嵌着されるとともに、前記キャップの周壁が周方向に回動可能に上側から嵌着される肩カバーとからなり、前記噴射ボタンは、外周面に複数の突起を有するとともに、周壁には上方に向けての切欠き深さが深い第１深切欠部と該第１深切欠部の周方向一方側に隣接する切欠き深さが浅い第１浅切欠部とからなる第１切欠部が形成され、前記キャップは、前記第１中央孔部の内周面に、前記第１切欠部に嵌入して前記噴射ボタンの下動を規制する規制突起を備え、前記肩カバーの第２中央孔部を形成する環状周壁の下端部には第２切欠部が形成され、前記噴射ボタンの突起を前記第２切欠部に嵌入するとともに前記規制突起を前記第１深切欠部に嵌入することにより、前記噴射ボタンが上下動可能であり且つ前記噴射口が前記噴射窓に臨むロック解除状態となり、該ロック解除状態から前記キャップを周方向一方側に回動させたときに、前記規制突起が前記第１浅切欠部に嵌入することにより、前記噴射ボタンが下動不能であり且つ前記噴射口が前記噴射窓に臨まずに隠蔽されるロック状態に変換されるエアゾール容器のロック機構が、開示されている。
【先行技術文献】
【特許文献】
【０００６】
【特許文献１】特開２００１−３０１８５３号公報
【特許文献２】特開２００２−３２６６８１号公報
【特許文献３】特開２００７−２１７０３９号公報
【特許文献４】特開２０１１−１０５３４２号公報
【発明の概要】
【発明が解決しようとする課題】
【０００７】
しかしながら、特許文献１記載のエアゾール容器の噴射装置は、ワンタッチキャップにガイド溝を設け、その溝にアクチュエータを押圧してロック等などをするため、ヘッドにマッサージ具を有する場合には、かかる構造にすることは難しく、実質的にマッサージ具を取り付けることが難しく、さらに、ワンタッチキャップやガイド溝の設定など装置作成の加工が煩雑であるという問題点があった。また、特許文献２記載のエアゾール式液体噴出容器は、特定の位置のみに嵌合突部を設けているため、ヘッドにマッサージ具を有する場合には、かかる構造にすることは難しく、実質的にマッサージ具を取り付けることが難しく、さらに、ロック時や解除時には場所を確認してロックなどを行うため、より簡単に、マッサージ機能とエアゾールによる内容物噴射機能の使用の有無を容易に選択できる装置が求められていた。
【０００８】
さらに、特許文献３記載の技術は、操作部ロック機構を設置しているが、ヘッドにマッサージ具を有する場合には、操作部ロック機構に負荷がかかるおそれがあり、構造的にマッサージ具を取り付けることが難しいという問題点があった。また、特許文献４記載のエアゾール容器のロック機構は、横に吐出させるエアゾールでは使用できる技術であるが、ヘッドにマッサージ具を有する場合には、該ロック機構を設けることは難しく、上方向に噴射する場合ボタンが押しづらい形状で、構造的にマッサージ具を取り付けることが難しいという問題点があった。
【０００９】
そこで本発明の目的は、前記の従来技術の問題を解決し、マッサージ機能とエアゾールによる内容物噴射機能を有し、前記マッサージ機能と前記エアゾールによる内容物噴射機能の使用の有無を容易に選択しうるエアゾール器用のマッサージ装置を提供することにある。
【課題を解決するための手段】
【００１０】
本発明者らは、前記課題を解決すべく鋭意検討を行った結果、マッサージ具と、該マッサージ具に取り付けられたロック部材の結合部分の形状を工夫することによって、前記目的を達成し得ることを見出し、本発明を完成するに至った。
【００１１】
即ち、本発明のエアゾール器用のマッサージ装置は、エアゾール器のバルブに取り付けるマッサージ具を患部に押し付けて、前記エアゾール器のステムを押し込むことで内容物を噴出して患部に吹き付けるエアゾール器用のマッサージ装置において、突出体を表面に有するマッサージ具と、前記マッサージ具に取り付けられ、前記ステムの押込みを制御するロック部材と、を有し、前記マッサージ具が、前記表面の反対側で前記ロック部材との結合側に制御部材を有し、前記ロック部材が、係止突起部と、溝部と、前記係止突起部と前記溝部とを前記制御部材が移動できるように傾斜部分を有する傾斜移動部と、を有し、前記マッサージ具を左右に回転させることで、前記制御部材が、前記ロック部材上を移動し、前記制御部材が、前記ロック部材の前記傾斜移動部にあるときは、前記ステムが押し込まれず、前記制御部材が、前記ロック部材の前記溝部にあるときは、前記ステムが押し込まれて、内容物を噴出することを特徴とするものである。
【００１２】
また、本発明のエアゾール器用のマッサージ装置は、前記係止突起部が、前記マッサージ具の左右への回転の幅を制御することが好ましく、前記マッサージ具が、前記制御部材を複数個有し、前記ロック部材が複数個であることが好ましい。
【００１３】
さらに、本発明のエアゾール器用のマッサージ装置は、前記マッサージ具が、表面に突出体を有する中心部材と、外周部材を有し、前記中心部材と前記外周部材を結合する結合部材を有し、前記中心部材を押し込むことで前記ステムが押し込まれて、内容物を噴出することが好ましく、前記外周部材が、表面に突出体を有することが好ましい。
【００１４】
さらにまた、本発明のエアゾール器用のマッサージ装置は、前記中心部材が、円形であることが好ましく、前記マッサージ具が、結合部材を複数個有することが好ましい。
【発明の効果】
【００１５】
本発明によると、マッサージ機能とエアゾールによる内容物噴射機能を有し、前記マッサージ機能と前記エアゾールによる内容物噴射機能の使用の有無を容易に選択しうるエアゾール器用のマッサージ装置を提供することができる。
【図面の簡単な説明】
【００１６】
【図１】本発明のエアゾール器用のマッサージ装置の一例を示す斜視図である。
【図２】本発明のエアゾール器用のマッサージ装置の一例を示す側面断面図である。
【図３】図２のＡ−Ａの側面断面図である。
【図４】本発明に使用できるマッサージ具の一例を示す上面図である。
【図５】本発明に使用できるマッサージ具の一例を示す下面図である。
【図６】本発明に使用できるロック部材の一例を示す上面斜視図と上面図である。
【図７】本発明におけるロック操作の一例を示す図である。
【図８】本発明のエアゾール器用のマッサージ装置のロック機構の一例を示す図である。
【発明を実施するための形態】
【００１７】
以下、本発明のエアゾール器用のマッサージ装置ついて具体的に説明する。
本発明のエアゾール器用のマッサージ装置の一例を示す斜視図であり、図２は、本発明のエアゾール器用のマッサージ装置の一例を示す側面断面図である。本発明のエアゾール器用のマッサージ装置５は、エアゾール器９のバルブ９１に取り付けるマッサージ具１を患部に押し付けて、エアゾール器９のステム９２を押し込むことで内容物を噴出して患部に吹き付けるものである。
【００１８】
図３は、図２のＡ−Ａの側面断面図である。本発明のエアゾール器用のマッサージ装置５は、突出体１１を表面に有するマッサージ具１と、マッサージ具１に取り付けられ、ステム９２の押込みを制御するロック部材４と、を有している
【００１９】
図４は、本発明に使用できるマッサージ具の一例を示す上面図で、上側から見た表面の図である。（ａ）は、本発明に使用できるマッサージ具の一例を示す上面斜視図であり、（ｂ）は、本発明に使用できるマッサージ具の一例を示す上面図である。マッサージ具１は、上から見て表面に突出体１１、２１を有している。また、マッサージ具１は、中心部材２と、外周部材３を有し、中心部材２と外周部材３を結合する結合部材１３を有している。さらに、中心部材２を押し込むことでステム９２が押し込まれて、内容物を噴出することができる。なお、図では、中心部材２と外周部材３の両方の表面に突出体１１、２１を有しているが、少なくとも中心部材２に突出体２１を有していればマッサージ効果が得られるが、外周部材３にも突出体１１を有していることが好ましい。また、マッサージ具１は、中心部材２と外周部材３と結合部材１３を有しているが、一体成型等により中心部材２と外周部材３と結合部材１３を有していてもよく、またそれぞれの部材を個別の部材として有していてもよいが、成形の容易性から一体成型されていることが好ましい。この場合、マッサージ具１の中心部材２、外周部材３、結合部材１３は一体であるが、結合部材１３の作用によりマッサージ具１の中心部材２のみが上下運動し、内容液を噴射できる。
【００２０】
また、本発明において、中心部材２の形状としては、中心部材２を押込むと連動してステム９２押込む効果が得られれば特に限定されないが、円形であることが好ましい。また、円周方向の動作を利用してロック、解除をする上でも円形状であることが好ましい。
【００２１】
さらに、本発明において、中心部材２と外周部材３を結合する結合部材１３の数としては、中心部材２を押込む効果が得られれば特に限定されないが、対称方向に有することが好ましく、結合部材１３を複数個有することが好ましい。特に、４方向から支えて安定性が優れるため、結合部材１３を４個十字状に対称方向に有することが好ましい。また、結合部材１３をバランスよく角度１２０度ごとに３点設けることもできる。
【００２２】
図５は、本発明に使用できるマッサージ具の一例を示す下面図で、下側から見た裏面の図である。（ａ）は、本発明に使用できるマッサージ具の一例を示す下面斜視図であり、（ｂ）は、本発明に使用できるマッサージ具の一例を示す下面図である。マッサージ具１は、表面の反対側（裏面）でロック部材４と結合する結合側に、制御部材１２を有している。
【００２３】
図６は、本発明に使用できるロック部材の一例を示す上面斜視図と上面図であり、（ａ）は、本発明に使用できるロック部材の一例を示す上面斜視図であり、（ｂ）は、本発明に使用できるロック部材の一例を示す上面図である。ロック部材４が、係止突起部４１と、溝部４３と、係止突起部４１と溝部４３とをマッサージ具１の制御部材１２が移動できるように傾斜部分を有する傾斜移動部４２と、を有している。
【００２４】
図７は、本発明におけるロック操作の一例を示す図であり、図８は、本発明のエアゾール器用のマッサージ装置のロック機構の一例を示す図である。マッサージ具１を左右に回転させることで、制御部材１２が、ロック部材４上を図中の矢印の方向に移動する。具体的には、制御部材１２が、ロック部材４の傾斜移動部４２にあるときは、ステム９２が押し込まれないため、内容物を噴出することができない。一方、制御部材１２が、ロック部材４の溝部４３にあるとき（図７中の斜線の制御部材１２）は、ステム９２が押し込まれて、内容物を噴出することができるものである。これにより、マッサージ具１を患部に押し付けて、エアゾール器９のステムを押し込むことで内容物を噴出して患部に吹き付けることができ、さらに、マッサージ具１で患部をマッサージできるものである。また、エアゾール器用のマッサージ装置５を左右に回転することでマッサージ具１の押込みを制御でき、マッサージ機能とあわせてエアゾールによる内容物を噴射したり、あるいはマッサージ機能のみを容易に選択できるものである。なお、ここで、傾斜移動部４２は、エアゾール器用のマッサージ装置５の回転により、マッサージ具１の制御部材１２が係止突起部４１と溝部４３とを移動できれば、傾斜の度合いは問わず、また、マッサージ具１の制御部材１２を傾斜移動部４２上に固定するため、図７に示すように、平らな部分を有することが好ましい。
【００２５】
また、本発明において、係止突起部４１を有することで、マッサージ具１の左右への回転の幅を制御することができ、無造作に回転することを防止している。
【００２６】
本発明において、マッサージ具１の制御部材１２とロック部材４の数は、本発明の効果が得られれば特に限定されないが、マッサージ具１が、制御部材１２を複数個有し、ロック部材４が複数個であることが好ましく、４方向で制御でき安定性が優れるため、制御部材１２とロック部材４それぞれ４個十字状に対称方向に有することが好ましい。
【００２７】
本発明において、突出体１１、２１の形状としては、患部を刺激し、振動効果を与えることができるものであれば特に限定されないが、円柱状または円錐台であることが好ましい。また、大きさとしては、直径が１．５〜３．０ｍｍであることが好ましく、長さが７．０〜１２．０ｍｍであることが好ましい。かかる大きさとすることにより、よりツボを的確に刺激することができる。さらに、突出体１１、２１は、中心部材２の突出体２１と外周部材３の突起体１１の長さ（高さ）が異なることにより、足で容易にボタンを押し込むことができ、内容液が噴射可能となる。
【００２８】
本発明において、マッサージ具１やロック部材４の材質としては、本発明の効果が得られれば特に限定されないが、例えば、ポリプロピレン、ポリエチレン等を用いることができる。また、突出体１１、２１の材質としては、本発明の効果が得られれば特に限定されないが、例えば、ポリプロピレン、ポリエチレン、弾性力を備える合成樹脂材料等があり、エラストマー（スチレン系、ポリエステル系、オレフィン系、ウレタン系など）等を用いることができる。
【００２９】
本発明において、取り付けることができるエアゾール器９としては、本発明のエアゾール器用のマッサージ装置５が取り付けられる大きさや形状の要件を満たしていれば特に限定されないが、通常市販されているもので人体に使用できるもの、例えば、育毛用やボディ用の化粧料を使用することができる。中でも、特に足の裏へのマッサージを目的とすることが好ましく、この場合は、足の裏に本発明のエアゾール器用のマッサージ装置５をあてて使用し、突出体１１、２１の材質としてポリプロピレンを使用することで、足の裏のツボを刺激できる効果がある。その他、育毛剤やボディ用の化粧料のエアゾール器９を使用することもでき、顔を含め人体の肌や頭皮にあてて使用することができる。
【００３０】
以下、本発明について、実施例を用いてさらに詳細に説明するが、本発明はこれらの実施例に限定されるものではない。
【実施例】
【００３１】
（実施例１）
図１に示すように、市販の足用のエアゾール製品に、ポリプロピレン製の本発明のエアゾール器用のマッサージ装置５を取り付けた。制御部材１２が、ロック部材４の傾斜移動部４２にあるときは、ステム９２が押し込まれないため、足の裏に内容物を噴出しないで突起部１１、２１のマッサージ効果のみを与えた。また、エアゾール器用のマッサージ装置５を左右に回転することで、制御部材１２をロック部材４の溝部４３位置にし、ステム９２を押し込んで、足の裏に内容物の噴出と突起部１１、２１マッサージ効果を与えることができた。
【００３２】
（実施例２）
図１に示すように、市販の育毛剤のエアゾール製品に、ポリプロピレン製の本発明のエアゾール器用のマッサージ装置５を取り付けた。制御部材１２が、ロック部材４の傾斜移動部４２にあるときは、ステム９２が押し込まれないため、頭皮に内容物を噴出しないで突起部１１、２１マッサージ効果のみを与えた。また、エアゾール器用のマッサージ装置５を左右に回転することで、制御部材１２をロック部材４の溝部４３位置にし、ステム９２を押し込んで、頭皮に内容物の噴出と突起部１１、２１マッサージ効果を与えることができた。
【符号の説明】
【００３３】
１  マッサージ具
１１  突出体
１２  制御部材
１３  結合部材
２  中心部材
２１  突出体
３  外周部材
４  ロック部材
４１  係止突起部
４２  傾斜移動部
４３  溝部
５  エアゾール器用のマッサージ装置
９  エアゾール器
９１  バルブ
９２  ステム
【図１】
2017023365.tif 000003
【図２】
2017023365.tif 000004
【図３】
2017023365.tif 000005
【図４】
2017023365.tif 000006
【図５】
2017023365.tif 000007
【図６】
2017023365.tif 000008
【図７】
2017023365.tif 000009
【図８】
2017023365.tif 000010